(57)【要約】【課題】補強ロッドを用いた腕金の補強装置として堅牢な装置を提供する。【解決手段】電柱に突設した腕金２の中間部に、該中間部をそれぞれ部分的に係合するように相対向させた一対の接続片９，９を接続ボルト１０とこれに螺合したナット１１によって互いに締付け、基端側を前記電柱に前記腕金２より上方において取付けた補強ロッド６の先端を前記接続ボルト１０に接続する。そして、中央部１２ａと該中央部１２ａの両側に相対設した一対の側部１２ｂ，１２ｂとで成る中央部片１２と、該中央部片１２の前記側部１２ｂの自由端に締付け部片１３を連設すると共に、前記中央部片１２の中央部１２ａと側部１２ｂとの境界部に該境界部に沿うスリット１７を設けて前記接続片９を構成する。また、この接続片９の前記中央部片１２に角筒で構成した前記腕金２を前記側部１２ｂに接触させるようにして係合すると共に、一対の接続片９，９の互いに相対する締付け部片１３，１３間にわたした各接続ボルト１０に補強ロッド８の先端を接続する。【選択図】    図４
2005006392.tif 000002
【特許請求の範囲】
【請求項１】
電柱に突設した腕金の中間部に、該中間部をそれぞれ部分的に係合するように相対向させた一対の接続片を接続ボルトとこれに螺合したナットによって互いに締付け、基端側を前記電柱に前記腕金より上方において取付けた補強ロッドの先端を前記接続ボルトに接続した電柱用腕金の補強装置において、中央部と該中央部の両側に相対設した一対の側部とで成る中央部片と、該中央部片の前記側部の自由端に締付け部片を連設すると共に、前記中央部片の中央部と側部との境界部に該境界部に沿うスリットを設けて前記接続片を構成し、該接続片の前記中央部片に角筒で構成した前記腕金を前記側部に接触させるようにして係合すると共に、一対の接続片の互いに相対する締付け部片間にわたした各接続ボルトそれぞれに補強ロッドの先端を接続した電柱用腕金の補強装置。
【発明の詳細な説明】
【０００１】
【産業上の利用分野】
信号灯器などの機器を装柱するために、電（支）柱に、突設した腕金の荷重強度を上げるために電柱と腕金との間に補強ロッドを架設するときがあるが、本発明は、この補強ロッドを用いた電柱用腕金の補強装置に関するものである。
【０００２】
【従来の技術】
電柱に円筒体で成る腕金を屈曲状にして突設し、該腕金の屈曲部に隣接する直状部分をそれぞれ部分的に係合するよう相対向させて配置した一対の挟持片をボルトとナットによって互いに締付け、この挟持片を締付けた前記のボルトに基端側を電柱に取付けた補強ロッドの先端を係止した構造のものがある（例えば、特許文献１）。
【０００３】
【特許文献１】
実公昭５４−３２４６８号公報
【０００４】
【発明が解決しようとする課題】
前記従来例は、挟持片の半円状の中央部片を円形の腕金に係合させてボルトとナットを用いて締付ける構造のため、機器を吊下した腕金の先端側の負荷荷重によって挟持片が腕金に沿って移動（基部方向）し勝ちとなり、このため当初の機器設置状態を維持できなくなるため、腕金を屈曲状にして該屈曲部によって前記の移動を防ぐようにしている。すなわち、従来例は屈曲状の腕金を用いなければならないという使用上の制約があるのみならず、半円状の挟持片部で円形（断面）の腕金を挟持する構成を採るため挟持片の腕金に対する組付けは必ずしも満足のいくものではない。
【０００５】
本発明は、斯様な従来例の欠点に着目し、補強ロッドを用いた補強装置として堅牢な装置を提供すべく創案したものである。
【０００６】
【課題を解決するための手段】
電柱に突設した腕金の中間部に、該中間部をそれぞれ部分的に係合するように相対向させた一対の接続片を接続ボルトとこれに螺合したナットによって互いに締付け、基端側を前記電柱に前記腕金より上方において取付けた補強ロッドの先端を前記接続ボルトに接続した電柱用腕金の補強装置において、中央部と該中央部の両側に相対設した一対の側部とで成る中央部片と、該中央部片の前記側部の自由端に締付け部片を連設すると共に、前記中央部片の中央部と側部との境界部に該境界部に沿うスリットを設けて前記接続片を構成し、該接続片の前記中央部片に角筒で構成した前記腕金を前記側部に接触させるようにして係合すると共に、一対の接続片の互いに相対する締付け部片間にわたした各接続ボルトそれぞれに補強ロッドの先端を接続した構成とするのである。
【０００７】
【発明の実施の形態】
図面は本発明に係る電柱用腕金の補強装置の一実施形態を示し、図１は一部欠截正面図、図２は一部欠截平面図、図３は要部の一部欠截平面図、図４は一部を分解して示した図３の一部欠截側面図である。
【０００８】
実施形態は、電柱Ｄに第一バンド体１を用いて角筒状の腕金２を突設し、該腕金２の先端に信号灯器３を取付けて支持させ、この支持状態を補強するために、前記第一バンド体１の上方に第二、第三のバンド体４，５を配して前記電柱Ｄに締付け、第二バンド体４によって中央部を取付けて電柱Ｄに横設した腕杆１６の両端に基端を取付けた補強ロッド６の先端を前記腕金２の中間部に接続装置７を介して接続し、また、第三バンド体５と前記腕金２の先端間には補強ロッド６とほぼ同構成の第二補強ロッド８を架設したものである。
【０００９】
前記接続装置７は、一対の接続片９，９と一対二組の、組付け兼用の接続ボルト１０とナット１１とで構成し、接続片９は、中央部１２ａの両側に側部１２ｂ，１２ｂを相対設して構成した溝形状の中央部片１２の両側すなわち側部１２ｂの自由端に中央部片１２に並行するようにして翼状にして締付け部片１３を連設して構成したものである。
【００１０】
そして、側部１２ｂ，１２ｂの離開幅を前記腕金２の外径とほぼ同径にした前記中央部片１２に腕金２の中間部を部分的に係合するようにして腕金２を介して一対の接続片９，９を相対向させ、相対する該接続片９，９の前記締付け部片１３，１３に設けた透孔１４と該締付け部片１３，１３間に介在させた補強ロッド６の先端に設けたリング部片１５に前記接続ボルト１０を貫通させ、一方の締付け部片１３の透孔１４より突出する該ボルト１０先端にナット１１を螺合締付けて、基端側を前記腕杆１６の端部に取付けた補強ロッド６の先端（リング部片１５）を接続装置７を介して腕金２の中間部に取付けるのである。
【００１１】
なお、接続片９の中央部片１２の側部１２ｂ，１２ｂと中央部１２ａの境界部（隅角部）には該境界部に沿わせてスリット１７を設けてあり、このスリット１７の存在によって相対する締付け部片１３，１３を前記接続ボルト１０とナット１１とで締付けたとき、接続片９は境界部において屈曲して中央部片１２の側部１２ｂが腕金２に圧接して該腕金２を挟持し、摩擦抵抗を増大させ、接続装置７すなわち接続片９の腕金２に沿う移動が可及的に規制されるのである。
【００１２】
また、補強ロッド６は、中間部の電柱Ｄ側の近傍に長さ調節装置（ターンバックル）１８を介在させ組付け誤差を補正できるようにしてあり（第二補強ロッド８も同様）、その基部側に前記リング部片１５と同様にして設けたリング部片を前記腕杆（方形筒体で成る）１６内に挿入してボルト１９とナットによって腕杆１６に取付けてある。
【００１３】
【発明の効果】
本発明は前記の通りの構成であるから、接続ボルトとこれに螺合したナットを用いて接続片を腕金に締付けたとき、該接続片すなわち中央部片の側部が腕金によく接触して接触抵抗を増大させることができ、従って、接続片が腕金に沿って移動しにくくなるので、腕金の補強装置として当初の状態を維持できる堅牢な装置を提供できる。
【図面の簡単な説明】
【図１】一部欠截正面図。
【図２】一部欠截平面図。
【図３】要部の一部欠截平面図。
【図４】一部を分解して示した図３の一部欠截側面図。
【符号の説明】
２      腕金
９      接続片
１０    接続ボルト
１１    中央部片
１３    締付け部片
１７    スリット
【図１】
2005006392.tif 000003
【図２】
2005006392.tif 000004
【図３】
2005006392.tif 000005
【図４】
2005006392.tif 000006